(57)【要約】【課題】冷却ファンに付着した霜を効率的に融解することが可能な冷却貯蔵庫を提供する。【解決手段】冷却貯蔵庫１０は、箱状の貯蔵庫本体１２と、貯蔵庫本体１２の内気を冷却する冷却器４２と、内気を貯蔵庫本体１２内で循環させるためのファン８８と、冷却器４２に付着した霜を融解する第１のガラス管ヒータ（ヒータ）９０と、第１のガラス管ヒータ（ヒータ）９０が取付けられるブラケット（取付部）５０と、を備え、ブラケット（取付部）５０は少なくとも２つの開口を有する空洞部６６を備え、空洞部６６の第１の開口部（一方の開口）５６側に冷却器４２が設けられ、空洞部６６の第２の開口部（他方の開口）６０側にファン８８が設けられており、空洞部６６内に第１のガラス管ヒータ（ヒータ）９０が取り付けられていることを特徴とする。【選択図】図４
2019143886.tif 000002
【特許請求の範囲】
【請求項１】
箱状の貯蔵庫本体と、
前記貯蔵庫本体の内気を冷却する冷却器と、
前記内気を前記貯蔵庫本体内で循環させるファンと、
前記冷却器に付着した霜を融解するヒータと、
前記ヒータが取付けられる取付部と、を備え、
前記取付部は少なくとも２つの開口を有する空洞部を備え、前記空洞部の一方の開口側に前記冷却器が設けられ、前記空洞部の他方の開口側に前記ファンが設けられており、
前記空洞部内に前記ヒータが取り付けられていることを特徴とする冷却貯蔵庫。
【請求項２】
前記冷却器を収容する冷却器室を備え、
前記取付部は、
板状をなし、第１の開口部が開口して設けられた第１の板部と、
板状をなし、前記第１の板部と対向して配され、第２の開口部が開口して設けられた第２の板部と、を備え、
前記第１の板部と前記第２の板部との間は、前記冷却器室の内壁により塞がれており、その塞がれた空間が前記空洞部とされている請求項１に記載の冷却貯蔵庫。
【請求項３】
前記冷却器は前記第１の開口部側に設けられ、前記ファンは前記第２の開口部側に設けられており、
前記ヒータは、前記第２の開口部よりも下方に配されており、
前記第２の開口部と前記ヒータとの間には、前記第２の板部から前記冷却器に向けて突出し、下方に傾斜する板状の仕切り板が設けられている請求項２に記載の冷却貯蔵庫。
【請求項４】
前記仕切り板の端部と前記冷却器との間には隙間が設けられており、
前記ヒータの下方には、前記第２の板部から前記冷却器に向けて突出し、その上面が下方に傾斜してなる突出部が設けられている請求項３に記載の冷却貯蔵庫。
【発明の詳細な説明】
【技術分野】
【０００１】
本発明は、貯蔵庫に関する。
【背景技術】
【０００２】
従来の冷却貯蔵庫として、例えば、特許文献１に記載のものが知られている。特許文献１に記載の冷却貯蔵庫は、前面が開口した断熱箱体の貯蔵室と、貯蔵室の側部に設けられた冷却器室と、を備えている。冷却器室には、貯蔵室内を冷却する冷却器と、冷却器の側方に設けられ、冷却器により冷却された冷気を庫内に循環させる冷却ファンと、冷却器の下方に設けられ、冷却器に付着した霜を除去するヒータと、を備えている。
【先行技術文献】
【特許文献】
【０００３】
【特許文献１】特開２００９−９２２６１号公報
【発明の概要】
【発明が解決しようとする課題】
【０００４】
冷却ファンに付着した霜は、ヒータの輻射熱によって融解されるが、熱の一部が冷却器室の外側に逃げることから、冷却ファンに付着した霜を融解するのに時間がかかるといった問題があった。  
【０００５】
本発明は、上記事情に鑑みてなされたもので、冷却ファンに付着した霜の融解効率を向上させる冷却貯蔵庫の提供を目的の一つとしている。
【課題を解決するための手段】
【０００６】
上記課題を解決するために、本発明の冷却貯蔵庫は、箱状の貯蔵庫本体と、前記貯蔵庫本体の内気を冷却する冷却器と、前記内気を前記貯蔵庫本体内で循環させるファンと、前記冷却器に付着した霜を融解するヒータと、前記ヒータが取付けられる取付部と、を備え、前記取付部は少なくとも２つの開口を有する空洞部を備え、前記空洞部の一方の開口側に前記冷却器が設けられ、前記空洞部の他方の開口側に前記ファンが設けられており、前記空洞部内に前記ヒータが取り付けられていることを特徴とする。
【０００７】
取付部に設けられた空洞部に対し、他方の開口側にファンが設けられ、取付部の空洞部内にヒータが取付けられているため、ヒータの熱により、ファンが加熱される。これにより、ファンに付着した霜を除霜することができる。また、取付部の一方の開口側に冷却器が設けられ、他方の開口側にファンが設けられているため、ヒータの熱が空洞部から両開口側へ効率的に伝わり、空洞部の両開口側に配された冷却器及びファンに付着した霜を効率的に除霜することができる。
【０００８】
また、前記冷却器を収容する冷却器室を備え、前記取付部は、板状をなし、第１の開口部が開口して設けられた第１の板部と、板状をなし、前記第１の板部と対向して配され、第２の開口部が開口して設けられた第２の板部と、を備え、前記第１の板部と前記第２の板部との間は、前記冷却器室の内壁により塞がれており、その塞がれた空間が前記空洞部とされている構成としても良い。
【０００９】
第１の板部と第２の板部との間の空間を空洞部とし、第１の板部と第２の板部との間の隙間を冷却器室の内壁で塞ぐことで、空洞部内のヒータの熱が、第１の板部と第２の板部との間の隙間から逃げることを抑制することができる。
【００１０】
また、前記冷却器は前記第１の開口部側に設けられ、前記ファンは前記第２の開口部側に設けられており、前記ヒータは、前記第２の開口部よりも下方に配されており、前記第２の開口部と前記ヒータとの間には、前記第２の板部から前記冷却器に向けて突出し、下方に傾斜する板状の仕切り板が設けられている構成としても良い。
【００１１】
冷却器は第１の開口部側に設けられ、ファンは第２の開口部側に設けられているため、空洞部内に熱が留まり易くなる。また、仕切り板は下方に傾斜しているため、ファンから仕切り板上に落下した霜は、冷却器側にガイドされる。これにより、霜をヒータにより温められた冷却器によって融解させることができる。また、仕切り板を設けることで、ヒータの熱は、仕切り板の上方に流れることが抑制され、仕切り板の下方に溜まりやすくなり、冷却器の下部を優先的に加熱することができる。
【００１２】
また、前記仕切り板の端部と前記冷却器との間には隙間が設けられており、前記ヒータの下方には、前記第２の板部から前記冷却器に向けて突出し、その上面が下方に傾斜してなる突出部が設けられている構成としても良い。
【００１３】
仕切り板の端部と冷却器との間に隙間を設けることで、仕切り板上に落下した霜は、その隙間から落下して突出部上に落ち、突出部の上面の傾斜により冷却器側にガイドされる。このとき、突出部上に落下した霜は、突出部の上部に配されたヒータに直接照射されることになるため、霜の融解効率を向上させることができる。
【発明の効果】
【００１４】
本発明によれば、冷却ファンに付着した霜を効率的に融解することが可能な冷却貯蔵庫を提供することができる。
【図面の簡単な説明】
【００１５】
【図１】本発明の実施形態に係る冷却貯蔵庫の正面図
【図２】冷却貯蔵庫の前面側を切断し、斜め前方から視た図
【図３】正面視における冷却器室内の断面図
【図４】図３において、ダクトを取り外した状態の図
【図５】ブラケットが取付けられていない状態の冷却器を右側方から視た図
【図６】ブラケットが取付けられていない状態の冷却器周辺の切断図
【図７】冷却ユニット及び冷却器の斜視図
【図８】ブラケットの斜視図
【図９】ブラケットの斜視図
【図１０】正面視におけるブラケットの図
【図１１】冷却器室の斜視図
【図１２】ブラケットが取り付けられた状態における冷却器室の斜視図
【図１３】ブラケットが取り付けられた状態における冷却器室の斜視図
【発明を実施するための形態】
【００１６】
本実施形態の冷却貯蔵庫１０について、図１から図１３を参照しつつ説明する。以降の説明では、上下方向、左右方向、及び、前後方向は、図１から図１３に示す矢指方向とする。
冷却貯蔵庫１０は、図１に示すように、前面が開口する箱状の貯蔵庫本体１２と貯蔵庫本体１２の左方に配された機械室３３と、を備えている。貯蔵庫本体１２の開口部における中央部には、上下方向に延びるセンターフレーム１４が取付けられており、センターフレーム１４の両側には、一対の扉１６が回動可能に取り付けられている。
【００１７】
貯蔵庫本体１２は、図２に示すように、外箱１８と、外箱１８の内側に配された内箱２０と、内箱２０の左側方に配され、内箱２０と内部空間が連通する冷却器室２４と、を備えており、また、外箱１８と内箱２０との間には、断熱材が充填される。貯蔵庫本体１２内の冷却器室２４の右方の空間が、食材が貯蔵可能な貯蔵室２２とされる。
【００１８】
冷却器室２４内には、図２に示すように、貯蔵庫本体１２内を冷却する冷却器４２が収容されている。冷却器４２は、図６、図７に示すように、上下方向に長い長方形の金属プレートからなるフィン４８を前後方向に複数枚並べたフィン群４９と、各フィン４８を貫通しつつ、多重に折り返した形状をなす蒸発管４４と、を備えている。また、フィン群４９の両端には、板状のエンドプレート４７がそれぞれ設けられている。
【００１９】
機械室３３内には、図６に示すように、圧縮機３８、凝縮器３６、及び、凝縮器ファン３７を備える冷却ユニット３４が設けられている。機械室３３内の圧縮機３８及び凝縮器３６、並びに、冷却器室２４内の冷却器４２は、図７に示すように、金属製の冷媒管４０によって循環接続されている。
【００２０】
冷却器室２４は、図２、図１１に示すように、右面及び下面が開口する箱状をなしている。冷却器室２４の前面側及び後面側の内壁３０には、互いに対向する面に向けて突出する突起部２６が設けられている。冷却器４２が冷却器室２４に収容されると、図６に示すように、冷却器４２の蒸発管４４の左右の屈曲部４６は、左右の突起部２６の上方に位置している。ここで、冷却器室２４内に後述するブラケット（取付部）５０が取付けられていない状態では、冷却器４２は、重力によって下方に変位し、屈曲部４６が突起部２６の上面に当接するようになっている。これによって、冷却器４２は冷却器室２４内に仮保持される。なお、ブラケット５０は、冷却器室２４の右面側の開口部３２側から収容される。
【００２１】
冷却器室２４の左面側の内壁３０には、図１１に示すように、３つのリブ２８が右方に突出して設けられている。それぞれのリブ２８は、左右方向に所定の間隔を空けて配されており、それらの上端部は下方に傾斜している。
【００２２】
冷却器室２４の下方には、図２に示すように、中央に向けて下方に傾斜するドレンパン９４が設けられている。ドレンパン９４の中央には、融解された霜を排出する排出口９６が開口して設けられている。
【００２３】
冷却器室２４内には、図４に示すように、Ｌ形状をなすブラケット５０が収容されている。ブラケット５０は冷却器４２とは個別に、冷却器室２４への取付け、及び、冷却器室２４からの取外しが可能とされ、図８、図９に示すように、板状のファン取付部５２と、枠状をなすヒータ取付部７２と、を備えている。
【００２４】
ファン取付部５２は、図８、図９に示すように、板状の第１の板部５４と、第１の板部５４と対向する位置に配された板状の第２の板部５８と、を備えている。第１の板部５４には、第１の開口部５６が開口して設けられており、第２の板部５８には、第２の開口部６０が開口して設けられている。また、第１の板部５４の上端と第２の板部５８の上端は、連結部６２を介して連なっている。
【００２５】
第２の板部５８には、図８、図９に示すように、第２の開口部６０を覆うように、冷却器４２により冷却された内気を庫内に循環させるファン８８が取付けられている。ファン８８は、複数枚の羽根から構成されており、ファン８８の羽根の可動範囲は、図８に示すように、円柱形状で図示されている。ファン８８が稼働すると、図２に示すように、送風経路Ｒに沿って冷却器室２４内に風が流れ、貯蔵室２２の内気が、冷却器４２の右方に設けられたダクト９８の吸込口１００から冷却器室２４に吸い込まれ、冷却器４２によって冷却されて吹出口１０２から吹き出される。これにより貯蔵室２２内が冷却される。
【００２６】
第１の板部５４と第２の板部５８との間には、図８に示すように、前後方向に長い棒状の第１のガラス管ヒータ（ヒータ）９０が取付けられている。第１のガラス管ヒータ９０は、ファン８８の風の流れを阻害しない位置である、第２の開口部６０の下方に配されている。
【００２７】
第２の開口部６０と第１のガラス管ヒータ９０との間には、図４、図８に示すように、第２の板部５８から冷却器４２側（即ち、第１の開口部５６側）に向けて突出し、その上面が下方に傾斜する板状の仕切り板６４が設けられている。仕切り板６４の端部と冷却器４２との間には、図２に示すように、隙間が設けられている。
【００２８】
第１のガラス管ヒータ９０の下方には、図３、図８に示すように、第２の板部５８から冷却器４２側（即ち、第１の開口部５６側）に向けて突出し、その上面が下方に傾斜する突出部６８が設けられている。
【００２９】
ヒータ取付部７２の右枠部７８は、図８に示すように、第１の板部５４の第１の開口部５６の下側の面と当接し、ファン取付部５２に固定されている。ヒータ取付部７２の前枠部７４及び後枠部７６には、挿通孔が開口して設けられており、これらの挿通孔に、棒状の第２のガラス管ヒータ９２が挿通されている。また、ヒータ取付部７２の前枠部７４から後枠部７６に亘って、板状をなし、中央から左右方向にそれぞれ傾斜する傘部８６が設けられている。傘部８６は、第２のガラス管ヒータ９２の上方に配されており、冷却器４２から落ちた霜が第２のガラス管ヒータ９２上に当たることを抑制している。また、ヒータ取付部７２には、左枠部８０の左端から下方に突出し、その左側面が右枠部７８側に傾斜する傾斜面８５となっている板状の曲げ部８４が設けられている。
【００３０】
ブラケット５０の着脱は、冷却器４２が冷却器室２４内に仮保持されている状態で行われる。このように、冷却器４２が仮保持されていることから、着脱作業時に冷却器４２が落下しないよう別途支える必要がないため、ブラケット５０の着脱作業が行い易くなっている。また、ブラケット５０は、ファン８８、第１のガラス管ヒータ９０、及び第２のガラス管ヒータ９２が一体となっていることから、それぞれを個別に取付ける場合と比較して、着脱作業性が向上する。また、このような一体部品とすることで、部品の管理性が向上する。
【００３１】
ブラケット５０を冷却器室２４内へ取付ける際は、先ず、ブラケット５０を、冷却器室２４の開口部３２側（即ち、図５の手前側）から、冷却器室２４の左面側の内壁３０（即ち、図５の奥側）に向けて変位させる。
【００３２】
ブラケット５０が冷却器室２４の奥まで収容されると、図４に示すように、ファン取付部５２の第１の板部５４が冷却器４２の右面と当接し、これにより、第１の開口部５６が冷却器４２によって覆われる。また、図１２、図１３に示すように、第１の板部５４と第２の板部５８との間の隙間は、冷却器室２４の前面及び後面側の内壁３０により塞がれる。この第１の板部５４と第２の板部５８との間の、冷却器室２４の内壁３０により塞がれた空間が、図４に示す空洞部６６とされる。また、図４に示すように、ヒータ取付部７２の曲げ部８４の傾斜面８５がリブ２８の上端部に当接する。このように、曲げ部８４には傾斜面８５が設けられているため、曲げ部８４をリブ２８の上端部に当接させ易くなり、ブラケット５０の冷却器室２４への取付け作業性が向上する。この状態で、ファン取付部５２を冷却器室２４にネジで固定することで、ブラケット５０は冷却器室２４内に取付けられる。これにより、冷却器４２は、ブラケット５０によって保持され、冷却器４２の仮保持状態が解除される。冷却器４２がブラケット５０によって保持されると、冷却器４２は、ブラケット５０のヒータ取付部７２によって下方から支持されるため、仮保持状態のときよりも、稍上方に位置することとなる。このため、冷却器４２の屈曲部４６と突起部２６との当接は解除される。
【００３３】
ブラケット５０のファン取付部５２の第１の板部５４は、冷却器４２のエンドプレート４７の右端と当接することで、冷却器４２の右方への変位を規制している。また、ブラケット５０のヒータ取付部７２は、冷却器４２のエンドプレート４７の下端と当接することで、冷却器４２の下方への変位を規制している。これにより、仮に、冷却器４２に振動等が加わっても、冷却器４２は、ファン取付部５２及びヒータ取付部７２によって変位が規制されるため、冷却器４２の落下が防止される。さらに、ブラケット５０の曲げ部８４は、図４に示すように、冷却器室２４内のリブ２８により下方から支持されていることから、冷却器４２の重みにより、ブラケット５０が下方への垂れ下がることが抑制され、冷却器４２を確実に保持することができる。ブラケット５０の取付け後に、図２、図３に示すように、冷却器室２４及び貯蔵庫本体１２の左側面を覆うように、ダクト９８が装着される。
【００３４】
第１のガラス管ヒータ９０が稼働すると、図３に示すように、第１のガラス管ヒータ９０の熱は、空洞部６６内の仕切り板６４の下方の空間Ｓ１に留まり、冷却器４２の右面下側が優先的に加熱される。また、第２のガラス管ヒータ９２が稼働すると、冷却器４２の下面が加熱される。その後、空間Ｓ１に留まっている熱は、仕切り板６４の端部と冷却器４２との間の隙間から、空洞部６６内の仕切り板６４の上方の空間Ｓ２に流れ、冷却器４２の右面上側、及び、ファン８８が加熱される。これにより、冷却器４２、ファン８８に付着した霜の融解が進み、霜が取り除かれる。また、第１のガラス管ヒータ９０及び第２のガラス管ヒータ９２の熱により、ブラケット５０全体も加熱され、ブラケット５０に付着した霜も取り除かれる。
【００３５】
このように、第１の開口部５６側に冷却器４２が設けられており、第２の開口部６０側にファン８８が設けられており、第１の板部５４と第２の板部５８との間は冷却器室２４の内壁３０により塞がれていることから、第１のガラス管ヒータ９０の熱は空洞部６６内に留まり易くなり、冷却器４２及びファン８８に付着した霜を効率的に取り除くことができる。また、熱が第２の開口部６０から貯蔵室２２内へ流れる際に、ファン８８内の空間を通過することから、第２の開口部６０から直接、貯蔵室２２に熱が流れる場合と比較して、熱が貯蔵室２２内に漏れ難くなっている。
【００３６】
ファン８８から取り除かれた霜は、ファン８８の下方に配された仕切り板６４上に落下する。さらに、仕切り板６４上に落下した霜は、仕切り板６４の上面の傾斜により、冷却器４２側にガイドされ、仕切り板６４の端部と冷却器４２との間の隙間から、突出部６８上に落下する。
【００３７】
突出部６８上に落下した霜は、突出部６８の上面の傾斜により冷却器４２側にガイドされ、加熱された冷却器４２により、融解される。さらに、落下した霜は、突出部６８の上方に配された第１のガラス管ヒータ９０に直接照射されるため、霜の融解が加速される。融解された霜は、フィン４８の隙間からドレンパン９４上に落下し、排出口９６から排出される。
【００３８】
本実施形態によれば、以下の作用、効果を奏する。
本実施形態の冷却貯蔵庫１０は、箱状の貯蔵庫本体１２と、貯蔵庫本体１２の内気を冷却する冷却器４２と、内気を貯蔵庫本体１２内で循環させるためのファン８８と、冷却器４２に付着した霜を融解する第１のガラス管ヒータ（ヒータ）９０と、第１のガラス管ヒータ（ヒータ）９０が取付けられるブラケット（取付部）５０と、を備え、ブラケット（取付部）５０は少なくとも２つの開口を有する空洞部６６を備え、空洞部６６の第１の開口部（一方の開口）５６側に冷却器４２が設けられ、空洞部６６の第２の開口部（他方の開口）６０側にファン８８が設けられており、空洞部６６内に第１のガラス管ヒータ（ヒータ）９０が取り付けられていることを特徴とする。
【００３９】
本実施形態によれば、ブラケット（取付部）５０に設けられた空洞部６６に対し、第２の開口部（他方の開口）６０側にファン８８が設けられ、ブラケット（取付部）５０の空洞部６６内に第１のガラス管ヒータ（ヒータ）９０が取付けられているため、第１のガラス管ヒータ（ヒータ）９０の熱により、ファン８８が加熱される。これにより、ファン８８に付着した霜を除霜することができる。また、ブラケット（取付部）５０の第１の開口部（一方の開口）５６側に冷却器４２が設けられ、第２の開口部（他方の開口）６０側にファン８８が設けられているため、第１のガラス管ヒータ（ヒータ）９０の熱が、空洞部６６内に留まり易くなることで、空洞部６６から両開口側へ効率的に伝わり、空洞部６６の両開口側に配された冷却器４２及びファン８８に付着した霜を効率的に除霜することができる。
【００４０】
また、冷却器４２を収容する冷却器室２４を備え、ブラケット（取付部）５０は、板状をなし、第１の開口部５６が開口して設けられた第１の板部５４と、板状をなし、第１の板部５４と対向して配され、第２の開口部６０が開口して設けられた第２の板部５８と、を備え、第１の板部５４と第２の板部５８との間は、冷却器室２４の内壁３０により塞がれており、その塞がれた空間が空洞部６６とされている構成としても良い。
【００４１】
第１の板部５４と第２の板部５８との間の空間を空洞部６６とし、第１の板部５４と第２の板部５８との間の隙間を冷却器室２４の内壁３０で塞ぐことで、空洞部６６内の第１のガラス管ヒータ（ヒータ）９０の熱が、第１の板部５４と第２の板部５８との間の隙間から逃げることを抑制することができる。
【００４２】
また、冷却器４２は前記第１の開口部５６側に設けられ、ファン８８は第２の開口部６０側に設けられており、第１のガラス管ヒータ（ヒータ）９０は、第２の開口部６０よりも下方に配されており、第２の開口部６０と第１のガラス管ヒータ（ヒータ）９０との間には、第２の板部５８から冷却器４２に向けて突出し、下方に傾斜する板状の仕切り板６４が設けられている構成としても良い。
【００４３】
冷却器４２は第１の開口部５６側に設けられ、ファン８８は第２の開口部６０側に設けられているため、空洞部６６内に熱が留まり易くなる。また、仕切り板６４は下方に傾斜しているため、ファン８８から仕切り板６４上に落下した霜は、冷却器４２側にガイドされる。これにより、霜を第１のガラス管ヒータ（ヒータ）９０により温められた冷却器４２によって融解させることができる。また、仕切り板６４を設けることで、第１のガラス管ヒータ（ヒータ）９０の熱は、仕切り板６４の上方に流れることが抑制され、仕切り板６４の下方に溜まりやすくなり、冷却器４２の下部を優先的に加熱することができる。
【００４４】
また、仕切り板６４の端部と冷却器４２との間には隙間が設けられており、第１のガラス管ヒータ（ヒータ）９０の下方には、第２の板部５８から冷却器４２に向けて突出し、その上面が下方に傾斜してなる突出部６８が設けられている構成としても良い。
【００４５】
仕切り板６４の端部と冷却器４２との間に隙間を設けることで、仕切り板６４上に落下した霜は、その隙間から落下して突出部６８上に落ち、突出部６８の上面の傾斜により冷却器４２側にガイドされる。このとき、突出部６８上に落下した霜は、突出部６８の上部に配された第１のガラス管ヒータ（ヒータ）９０に直接照射されることになるため、霜の融解効率を向上させることができる。
【００４６】
＜他の実施形態＞
本発明は上記記述及び図面によって説明した実施形態に限定されるものではなく、例えば次のような実施形態も本発明の技術的範囲に含まれる。
（１）本実施形態の空洞部６６は、ファン取付部５２における、第１の板部５８と第２の板部５８との間の、冷却器室２４の内壁３０に塞がれた空間としたが、例えば、ファン取付部は厚い板状をなしており、ファン取付部には、表面と裏面との間を貫通する開口部が開口して設けられていることとし、空洞部は、その開口部内における表面と裏面との間の空間とする構成としても良い。
（２）本実施形態では、第１のガラス管ヒータ９０は、第２の板部５８の第２の開口部６０の下方に配される構成としたが、第１のガラス管ヒータ９０は空洞部６６内に配されていればどこに配置しても良い。例えば、第１のガラス管ヒータを縦置きにし、第２の開口部の側方に配する構成としても良い。
（３）本実施形態では、冷却器室２４内に３つのリブ２８を設ける構成としたが、リブの数は２つ以下としても良いし、４つ以上としても良い。また、ヒータ取付部７２の曲げ部８４の傾斜面８５に当接し、ヒータ取付部７２を下方から支持する構成であればどのような構成でも良く、例えば、冷却器室内に前後方向に長い支持部を設け、支持部の上面が、曲げ部の傾斜面と面で接触する構成としても良い。
【符号の説明】
【００４７】
１０…冷却貯蔵庫
１２…貯蔵庫本体
２４…冷却器室
３０…内壁
４２…冷却器
５０…ブラケット（取付部）
５４…第１の板部
５６…第１の開口部
５８…第２の板部
６０…第２の開口部
６４…仕切り板
６６…空洞部
６８…突出部
７０…隙間
８８…ファン
９０…第１のガラス管ヒータ（ヒータ）
【図１】
2019143886.tif 000003
【図２】
2019143886.tif 000004
【図３】
2019143886.tif 000005
【図４】
2019143886.tif 000006
【図５】
2019143886.tif 000007
【図６】
2019143886.tif 000008
【図７】
2019143886.tif 000009
【図８】
2019143886.tif 000010
【図９】
2019143886.tif 000011
【図１０】
2019143886.tif 000012
【図１１】
2019143886.tif 000013
【図１２】
2019143886.tif 000014
【図１３】
2019143886.tif 000015